(57)【要約】【課題】最小限のコストアップに留めつつも、放送されているチャンネルのみをアップ・ダウンキーを用いて選局することができる。【解決手段】付加情報が付与されたテレビジョン放送から映像データと、付加情報とを取り出すデータ取得部と、取り出された付加情報から各チャンネルの放送開始時刻が記録された番組表データを作成する番組表データ作成部と、アップ・ダウンキーの操作に応じてチャンネルを選局する機能を備える制御部とを有し、制御部は、アップ・ダウンキーの操作に応じてチャンネルを切り替える際、次に切り替えるチャンネルの放送開始時刻と放送終了時刻とを番組表データから参照し、現在の時刻が切り替え先のチャンネルの放送開始時刻より早く、又は、同切り替え先のチャンネルの放送終了時刻より遅い場合は、切り替え先のチャンネルを選局対象から除外し、放送が行なわれているチャンネルを選局させる。【選択図】図２
2009296050.tif 000002
【特許請求の範囲】
【請求項１】
テレビジョン放送を受信するための放送受信装置において、
操作に応じて選局対象チャンネルを所定の順序で切り替えるためのアップ・ダウンキーと、
各チャンネルの放送開始時間及び放送終了時間とが記録された付加情報が付与された前記テレビジョン放送から映像データと、前記付加情報とを取り出すデータ取得部と、
前記取り出された付加情報から前記各チャンネルの放送開始時刻が記録された番組表データを作成する番組表データ作成部と、
前記アップ・ダウンキーの操作に応じてチャンネルを選局する機能を備える制御部とを有し、
前記制御部は、前記アップ・ダウンキーの操作に応じてチャンネルを切り替える際、次に切り替えるチャンネルの放送開始時刻と放送終了時刻とを前記番組表データから参照し、現在の時刻が切り替え先のチャンネルの放送開始時刻より早く、又は、同切り替え先のチャンネルの放送終了時刻より遅い場合は、前記切り替え先のチャンネルを選局対象から除外し、放送が行なわれているチャンネルを選局させることを特徴とする放送受信装置。
【請求項２】
前記番組表データは、ＥＰＧ情報であることを特徴とする請求項１に記載の放送受信装置。
【請求項３】
前記制御部は、前記番組表データに記録された各チャンネルの放送開始時刻及び放送終了時刻とを参照し、各チャンネルで放送が行なわれているか否かを判断することを特徴とする請求項１又は請求項２のいずれかに記載の放送受信装置。
【請求項４】
前記制御部は、前記アップ・ダウンキーの操作により送信されたコマンドの入力時刻を、前記番組表データに記録された各チャンネルの放送開始時刻及び放送終了時刻と比較し、前記入力時刻が前記放送開始時刻より前の時刻である場合、又は前記入力時刻が前記放送終了時刻より後の時刻である場合は、切り替え先のチャンネルが放送されていないと判断することを特徴とする請求項１〜請求項３のいずれか一項に記載の放送受信装置。
【請求項５】
前記データ取得部は、所定期間ごとに前記付加情報を取得し、
前記番組表データ作成部は、前記取得された付加情報に基づいて新たな前記番組表データを作成することを特徴とする請求項１〜請求項４のいずれか一項に記載の放送受信装置。
【請求項６】
前記アップ・ダウンキーはリモコン装置に具設されていることを特徴とする請求項１〜請求項５のいずれか一項に記載の放送受信装置。
【請求項７】
前記アップ・ダウンキーはリモコン装置に具設されており、
前記映像データに基づいて映像を表示する機能を備える映像出力部を有し、
前記番組表データは、ＥＰＧ情報であって、
前記データ取得部は、所定期間ごとに前記付加情報を取得し、
前記番組表データ作成部は、前記取得された付加情報に基づいて新たな前記番組表データを作成し、
前記制御部は、前記アップ・ダウンキーの操作ごとに、前記アップ・ダウンキーの操作により送信されたコマンドの入力時刻を、前記番組表データに記録された各チャンネルの放送開始時刻及び放送終了時刻と比較し、前記入力時刻が前記放送開始時刻より前の時刻、又は前記入力時刻が前記放送終了時刻より後の時刻である場合は、切り替え先のチャンネルが放送されていないと判断することを特徴とする請求項１に記載の放送受信装置。
【発明の詳細な説明】
【技術分野】
【０００１】
本発明はテレビジョン放送を受信する放送受信装置に関するものである。
【背景技術】
【０００２】
従来、放送受信装置等のリモコン装置には、各チャンネルと一体一で対応したチャンネルキーの他、操作毎にチャンネルを順次切り替えるアップ・ダウンキーが備わっている。放送受信装置は内部に各チャンネルとチャンネルキーの番号とを対応付けるメモリマップを記憶しており、チャンネルキーの操作毎に、メモリマップに記録されたチャンネルが順次選局され、チャンネルが表示されていく（例えば、特許文献１参照）。
【０００３】
しかし、特定の時間帯によっては、放送を終了しているチャンネルも存在し、ユーザがこの時間帯にアップ・ダウンキーを操作した場合、放送を終了しているチャンネルが選局される場合があった。特に、選局対象のチャンネル数が多い場合などは、ユーザがアップ・ダウンキーを操作しても、放送が行なわれている番組が選局されるまでに時間が掛かる場合があった。
【０００４】
予め放送が行なわれていない番組を画面上に表示し、ユーザにこの番組を目視により選局対象から除外させる技術が開示されている（例えば、特許文献２参照。）。
【０００５】
さらに、放送信号における音声信号の有無により未契約有料放送を判断し、音声信号が検出されない場合は、リモコン装置の選局対象からこのチャンネルを除外する技術が開示されている（例えば、特許文献３参照。）。
【特許文献１】特開２０００−２８６７３４号公報
【特許文献２】特開２００６−９３９７０号公報
【特許文献３】特開２００５−２１７９５８号公報
【発明の開示】
【発明が解決しようとする課題】
【０００６】
放送が行なわれていないチャンネルをアップ・ダウンキーの選局対象から除外させる場合、特許文献１に記載の技術では、チャンネルマップを新たに編集する必要が生じる。そのため、チャンネルマップを逐次編集する必要が生じ、放送受信装置内で処理される内部処理を複雑にさせることになる。また、通常のチャンネルマップに加えて、新たに編集したチャンネルマップを作成する場合でも、新たに作成されたチャンネルマップを記録するためにメモリの記録容量が必要となり、放送受信装置のコストを上げる結果となる。
【０００７】
また、特許文献２に記載の技術では、放送の有無を判断するのはユーザであるため、正確さに欠ける場合が想定される。
そして、特許文献３に記載の技術では、音声信号により放送の有無を判断するため、当然音声の有無をどのレベルで判別するかによって、その正確性が左右される場合がある。
【０００８】
本発明は、上記課題に鑑みてなされたもので、最小限のコストアップに留めつつも、放送されているチャンネルのみをアップ・ダウンキーを操作して選局することが可能な放送受信装置を提供する。
【課題を解決するための手段】
【０００９】
上記課題を解決するために、本発明の一局面では、テレビジョン放送を受信するための放送受信装置において、操作に応じて選局対象チャンネルを所定の順序で切り替えるためのアップ・ダウンキーと、各チャンネルの放送開始時間及び放送終了時間が記録された付加情報が付与された前記テレビジョン放送から映像データと、前記付加情報とを取り出すデータ取得部と、前記取り出された付加情報から前記各チャンネルの放送開始時刻が記録された番組表データを作成する番組表データ作成部と、前記アップ・ダウンキーの操作に応じてチャンネルを選局する機能を備える制御部とを有し、前記制御部は、前記アップ・ダウンキーの操作に応じてチャンネルを切り替える際、次に切り替えるチャンネルの放送開始時刻と放送終了時刻とを前記番組表データから参照し、現在の時刻が切り替え先のチャンネルの放送開始時刻より早く、又は、同切り替え先のチャンネルの放送終了時刻より遅い場合は、前記切り替え先のチャンネルを選局対象から除外し、放送が行なわれているチャンネルを選局させる構成としてある。
【００１０】
上記のように構成された発明では、放送受信装置は、各時間帯に放送されるチャンネルに対する付加情報が付与されたテレビジョン放送から映像データと、付加情報とを取り出すデータ取得部と、取り出された付加情報から前記各チャンネルの放送開始時刻が記録された番組表データを作成する番組表データ作成部と、アップ・ダウンキーの操作により送信されるコマンドに応じてチャンネルを選局する機能を備える制御部とを有している。また、制御部は、アップ・ダウンキーの操作に応じてチャンネルを切り替える際、次に切り替えるチャンネルの放送開始時刻と放送終了時刻とを番組表データから参照し、現在の時刻が前記切り替え先のチャンネルの放送開始時刻より早く、又は、同切り替え先のチャンネルの放送終了時刻より遅い場合は、映像出力部に前記切り替え先のチャンネルを選局対象から除外し、放送が行なわれているチャンネルを選局させる。
このため、作成されたチャンネルマップを変更することなく、放送が行なわれていない番組を選局対象から除外することができるため、チャンネルマップを変更する等の処理が必要となくなり、処理負荷を低減させることができる。また、従来から備わるＥＰＧ情報を利用するため、新たにチャンネルマップを作成する場合に比べてメモリの使用容量を低減させることができる。そのため、演算能力の高いマイクロコンピュータや容量の大きなメモリを使用する必要がなく、放送受信装置のコストを低減させることができる。
【００１１】
好ましくは、前記番組表データは、ＥＰＧ情報である。
上記のように構成された発明では、テレビジョン放送に多重化されたＥＰＧ情報を基に、テレビジョン放送の開始時刻を判別するため、あえてユーザ側で放送開始時刻を設定する必要がなく、ユーザの作業負担を減らすことができる。
【００１２】
好ましくは、前記制御部は、前記番組表データに記録された各チャンネルの放送開始時刻及び放送終了時刻とを参照し、各チャンネルで放送が行なわれているか否かを判断する。
【００１３】
好ましくは、前記制御部は、前記アップ・ダウンキーの操作により送信されたコマンドの入力時刻を、前記番組表データに記録された各チャンネルの放送開始時刻及び放送終了時刻と比較し、前記入力時刻が前記放送開始時刻より前の時刻である場合、又は前記入力時刻が前記放送終了時刻より後の時刻である場合は、切り替え先のチャンネルが放送されていないと判断する。
【００１４】
好ましくは、前記データ取得部は、所定期間ごとに前記付加情報を取得し、前記番組表データ作成部は、前記取得された付加情報に基づいて新たな前記番組表データを作成する。
上記のように構成された発明では、番組表データを所定期間ごとに更新するため、各チャンネルにおける放送の有無を適切に判断することができる。
【００１５】
好ましくは、前記アップ・ダウンキーはリモコン装置に具設されている。
【００１６】
本発明の他の局面として、前記アップ・ダウンキーはリモコン装置に具設されており、前記映像データに基づいて映像を表示する機能を備える映像出力部を有し、前記番組表データは、ＥＰＧ情報であって、前記データ取得部は、所定期間ごとに前記付加情報を取得し、前記番組表データ作成部は、前記更新された付加情報に基づいて新たな前記番組表データを作成し、前記制御部は、前記アップ・ダウンキーの操作ごとに、前記アップ・ダウンキーの操作により送信されたコマンドの入力時刻を、前記番組表データに記録された各チャンネルの放送開始時刻及び放送終了時刻と比較し、前記入力時刻が前記放送開始時刻より前の時刻、又は前記入力時刻が前記放送終了時刻より後の時刻である場合は、切り替え先のチャンネルが放送されていないと判断する。
【発明の効果】
【００１７】
以上説明したように本発明によれば、最小限のコストアップに留めつつも、リモコン装置のアップ・ダウンキーを操作して放送されているチャンネルのみを選局することができる。
また請求項２、請求項３にかかる発明によれば、ユーザ側で放送開始時刻を設定する必要がなく、ユーザの作業負担を減らすことができる。
そして請求項４、請求項５にかかる発明によれば、放送の有無を適切に判断することができる。
さらに請求項７のような、より具体的な構成において、上述した請求項１〜請求項６の各発明と同様の作用を奏することはいうまでもない。
【発明を実施するための最良の形態】
【００１８】
以下、図を参照しつつ下記の順序に従って本発明の実施形態を説明する。また、図中、同一の符号を付した箇所は同一又は同等の箇所を示し、その説明は繰返さない。
１．第１の実施形態：
（１）本発明の概要：
（２）テレビジョン受信機の構成：
（３）テレビジョン受信機の作用：
（４）選局制御モジュールの作用：
２．第２の実施形態：
３．その他の実施形態：
【００１９】
１．第１の実施形態：
（１）本発明の概要：
図１は、本発明に係る放送受信装置の模式図である。第１の実施形態に係る放送受信装置は、テレビジョン放送を放送可能なテレビジョン受信機１００により実現されている。テレビジョン受信機１００は、ユーザからの操作を受け付けてテレビジョン受信機１００を遠隔操作可能な機能を備えるリモコン装置９０を備えている。また、リモコン装置９０は、各チャンネルに一体一で対応したチャンネルキーの他、押圧を繰返すことでテレビジョン受信機１００のチャンネルを順次切り替えるアップ・ダウンキー９１を備えている。本発明に係る放送受信装置では、ユーザがこのアップ・ダウンキーを操作した場合でも、放送が行なわれているチャンネルのみを画面に表示させる構成としている。
【００２０】
（２）テレビジョン受信機の構成：
図２は、テレビジョン受信機の構成を説明するブロック図である。テレビジョン受信機１００は、屋外等に設置されたアンテナ２００と接続されており、アンテナ２００が受信したテレビジョン放送信号に基づいてテレビジョン放送を出力する機能を備えている。
【００２１】
テレビジョン受信機１００は、アンテナ２００が受信したテレビジョン放送から所望のテレビジョン放送信号を検波する機能を備えるチューナ部８０と、検波されたテレビジョン放送信号から映像データ、音声データ、及び付加データを取り出すデータ取得部７０と、映像データに基づいて映像を表示する機能を備える映像出力部６０と、音声データに基づいて音声を出力する機能を備える音声出力部５０と、付加情報に基づいてＥＰＧ（Electronic Program guide）情報（番組表データ）を作成するＥＰＧ情報作成部（番組表データ作成部）４０と、上記各部を制御する機能を備える制御部３０と、チャンネルマップデータを記憶するチャンネルマップ記憶部２０と、ラストパワーメモリ２１と、上記各部に電源電圧を供給する電源回路１０とを備えている。なお、上記各部の間には、バス１１０が介在しており、このバス１１０を介して各部は相互に通信することができる。
【００２２】
チューナ部８０は、アンテナ２００が受信したテレビジョン放送信号を検波する。チューナ部８０は、リモコン装置９０等により選局されたチャンネルに対応した変調信号を抽出する線局部や、選局された信号からディジタルデータを抽出する伝送路複号部を備えている。伝送路復号部により取り出されたディジタルデータには、選局されたチャンネルの映像データ、音声データ、及び付加データとしてのＥＰＧ情報が多重化されている。また、チューナ部８０の選局は、チャンネルマップ記憶部２０に記憶されたチャンネルマップデータの各パラメータに従って所望のチャンネルに対応した周波数帯が検波される。
【００２３】
データ取得部７０は、検波されたテレビジョン放送信号から映像データと音声データと付加データとを取り出す機能を備えている。データ取得部７０にディジタルデータが入力されると、まず、デスクランブル部７１がディジタルデータのスクランブルを解除する。次に、多重分離部７２がディジタルデータを付加情報と映像・音声データとに分離する。その後、映像・音声復号部７３が映像・音声データを映像データと音声データとに復号して、映像出力部６０に出力する。
【００２４】
映像出力部６０は、映像を出力する機能を備えている。映像出力部６０に映像データが入力されると、画像処理部６２が映像データに対して加工を行なう。次に、ドライバ部６３が加工された映像データから表示電圧を生成する。更に、生成された表示電圧は、表示パネル６１に出力される。表示パネル５１は、表示電圧を基に画面を構成する画素を駆動させて映像を表示する。
【００２５】
表示パネル６１は、ドライバ部６３が生成した表示電圧に基づいて各画素を駆動させて映像を表示する機能を備えるものであればよい。そのため、表示パネル６１の種別としては、液晶パネルであっても、プラズマパネルであっても、有機ＥＬ（Electro luminescence）パネルであってもよい。
【００２６】
ＥＰＧ情報作成部４０は、取り出された付加情報を基にＥＰＧ情報を生成する機能を備えている。ＥＰＧ情報作成部４０は、多重分離部７２が分離した付加情報からＥＰＧ情報を生成して内部に記憶する機能を備えている。そのため、ＥＰＧ情報作成部４０は、ＥＰＧ情報を生成する基本デコーダ部や、生成されたＥＰＧ情報を記憶するデータ記憶部により構成されている。
【００２７】
ここで、ＥＰＧ情報とは、電子番組ガイドを構成するデータのことである。ＥＰＧ情報として取得されるデータには、特定の日時に放送される番組の開始・終了時刻、番組内容、及びその他情報が記憶されており、制御部３０は記録された各種データを参照して、放送開始時刻を判断することができる。
【００２８】
制御部３０は、テレビジョン受信機１００の駆動を制御する機能を備えている。制御部３０は例えばマイクロコンピュータにより構成され、その内部に演算を実行する機能を備えるＣＰＵ（Central Processing Unit）３１や、ＣＰＵ３１が所定の演算を実行するためのアプリケーション・プログラムを記憶するＲＯＭ（Read Only Memory）３２や、ＣＰＵ３１のワークエリアとしての役割を果たすＲＡＭ（Random Access Memory）３３、ＣＰＵ４１に計時機能を付与するタイマ３４、更には、リモコン装置９０から送信される操作コマンドを受信してＣＰＵ３１にユーザからの操作内容を伝える機能を備えるリモコン受信部３５とを備えている。
【００２９】
ＲＯＭ３２には、ＣＰＵ３１がテレビジョン受信機１００の各部を制御するためのアプリケーション・プログラム等が記憶されている。ＲＯＭ３２には、ＣＰＵ３１がユーザに基本的な操作環境を提供できるよう機能するオペレーティング・システム（以下ＯＳと記載する。）１２０や、このＯＳ１２０と一体となって、ＣＰＵ３１に本発明に係る放送が行なわれている番組のみをアップ・ダウンキー９１で選局可能とする選局制御モジュール３００とを記憶している。以下、断りがない限り、ＯＳ１２０、及び選局制御モジュール３００によりＣＰＵ３１が実行する機能を、制御部３０が実行する機能として説明する。
【００３０】
（３）テレビジョン受信機の作用：
図３は、ユーザが電源を投入した際、テレビジョン受信機１００の内部で実行される処理を説明する流れ図である。ユーザがリモコン装置９０を操作してテレビジョン受信機１００にメイン電源を投入すると、制御部３０はＯＳ１２０をＲＡＭ３２に展開する。この後、テレビジョン受信機１００の電源が切られるまで、制御部３０はＲＡＭ３２に展開されたＯＳ１２０の機能に基づいて各部の制御を実行する。
【００３１】
制御部３０は、ＥＰＧ情報作成部４０にＥＰＧ情報を作成させる（ステップＳ１２５）。ＥＰＧ情報作成部４０は、受信したテレビジョン放送信号に付与された付加データを基にＥＰＧ情報を生成し、記録する。
【００３２】
制御部３０はラストパワーメモリに記録されたパラメータを読み出し、このパラメータに基づいて所定のチャンネルを映像出力部６０に出力させる（ステップＳ１３０）。ラストパワーメモリ２１には、電源遮断時に選局されていたチャンネルのチャンネル番号及び音声レベル等がパラメータとして記憶されている。そのため、制御部３０はこのパラメータを読み出すことで、電源遮断時の選局チャンネル及び音声出力を再現することができる。
【００３３】
この状態で、ユーザがリモコン装置９０のアップ・ダウンキー９１を操作して、現在選局されているチャンネルを切り替えた場合は（ステップＳ１３５）、選局制御モジュール３００に基づいて処理を実行する（ステップＳ１４０）。制御部３０は、リモコン受信部３５を介してアップ・ダウンキー９１の操作に基づくチャンネル切換えコマンドを受信すると、ＲＡＭ３３上に選局制御モジュール３００を読み出す。
なお、選局制御モジュール３００により制御部３０が本発明に係る機能を実行した後は、テレビジョン受信機１００としての通常の処理が実行される。
【００３４】
（４）選局制御モジュールの作用：
図４は、図３のステップ１４０により制御部３０が実行する処理を説明する流れ図である。選局制御モジュール３００は、制御部３０に各チャンネルの放送開始時刻及び放送終了時刻に基づいて、アップ・ダウンキー９１の操作時に、選局先のチャンネルが放送を行なっているか否かを判断する機能を付与するものである。そのため、制御部３０は、各チャンネルに対応させて、ＥＰＧ情報から各チャンネルの放送開始時刻Mstart、及び放送終了時刻Mend、現在の日付Mday、更にはリモコンを操作した時の時刻MtimeをＲＡＭ３３に記憶し、各時刻を比較しつつ各チャンネルの放送の有無を判断する。
【００３５】
制御部３０は、ＲＡＭ３３に記憶された各チャンネルの放送開始時刻及び放送終了時刻が最新のものであるか否かを判断する（ステップＳ３１０）。制御部３０は、現在の日付MdayとＥＰＧ情報に記録された日付とを比較し、Mstart及びMendが最新の情報であるか否かを判断する。これは、例えば、ＲＡＭ３３に各情報を記憶した後にＥＰＧ情報が更新された場合に対応するものである。日付情報MdayとＥＰＧ情報の日付データとが一致する場合は、ＲＡＭ３３に記憶されたMstartとMendは最新の情報であるため、以後、制御部４０は、記憶されたMstartとMendとを使用して以後の処理を実行する。なお、ここでは、Mstart及びMendが最新の情報でないものとして以下の説明を行なう。
【００３６】
図５は、制御部が図４のステップＳ３２０で実行する更新処理を示す流れ図である。制御部３０は、ＥＰＧ情報に基づいて現在の日付Mdayを更新する（ステップＳ３２１）。次に、制御部３０は、ＥＰＧ情報を参照して、選局対象チャンネルのMstartを更新する（ステップＳ３２２）。そして、制御部３０は、ＥＰＧ情報に基づいて選局対象チャンネルの放送終了時刻Mendを更新する（ステップＳ３２３）。その後、制御部３０は、チャンネルマップに記録されたすべてのチャンネルに対して上記更新を実行する（ステップＳ３２４〜Ｓ３２５、及びＳ３２２，Ｓ３２３）。上記した一連のステップにより、制御部３０は、ＲＡＭ３３に記憶する各チャンネルの放送開始時刻Mstart、及び放送終了時刻Mend、現在の日付Mdayを更新する。
【００３７】
以下、更新後の処理を説明する。制御部３０は、ユーザがリモコン装置９０のアップ・ダウンキー９１を操作したことをリモコン受信部３５を通じて受信すると（ステップＳ３３０）、現在の時刻Mtimeをタイマ３４を通じて記録する（ステップ３５０）。Mtimeは、ユーザがアップ・ダウンキー９１を操作した時刻を示すものである。
【００３８】
制御部３０は、Mtimeと選局先のチャンネルの放送開始時刻Mstartとを比較する（ステップＳ３５０）。Mtimeが選局先のチャンネルのMstartより時刻が早い場合は、ユーザがアップ・ダウンキー９１を操作した時刻が選局先のチャンネルの放送開始時刻より前であるため、このチャンネルは放送をまだ開始していない。そのため、制御部３０は、このチャンネルを選局対象から除外して、チャンネルマップに記録された次のチャンネル（Ｘ+１）のMstartをMtimeと比較する（ステップＳ３６０）。
【００３９】
制御部３０は、Mtimeが選局先のチャンネルの放送開始時刻Mstartより時刻が遅いと判断した場合は、Mtimeを同チャンネルのMendと比較する（ステップＳ３７０）。このとき、Mtimeが選局先のチャンネルのMendより時刻が早い場合は、ユーザがアップ・ダウンキー９１を操作した時刻が選局先のチャンネルの放送終了時刻より前であるため、選局先のチャンネルは放送を継続している。そのため、制御部３０は、選局先のチャンネルを出力するよう映像出力部６０に命令する（ステップＳ３８０）。
【００４０】
逆に、Mtimeが選局先のチャンネルのMendより時刻が遅い場合は、ユーザがアップ・ダウンキー９１を操作した時刻が選局先のチャンネルの放送終了時刻より後であるため、選局先のチャンネルは放送を終了している。そのため、制御部３０は、選局先のチャンネルを選局対象から除外し、次のチャンネルの放送の有無を判断する。
上記した一連の動作はユーザによるアップ・ダウンキー９１の操作に準じて繰返される。そのため、リモコン装置９０のアップ・ダウンキー９１の操作に応じて、放送が継続されているチャンネルのみが選局され表示されていく。
【００４１】
以上説明したように、本発明では、すでに作成されたチャンネルマップ等を変更することなく、放送が行なわれていない番組を選局対象から除外することができるため、チャンネルマップを変更する等の処理が必要となくなり、制御部３０の処理負荷を低減させることができる。また、従来から備わるＥＰＧ情報を利用するため、新たにチャンネルマップを作成する場合に比べてメモリ（ＲＡＭ、チャンネルマップ記憶部）の記憶容量を低減させることができる。そのため、演算能力の高いマイクロコンピュータや容量の大きなメモリを使用する必要がなく、放送受信装置のコストを低減させることができる。
【００４２】
第２の実施形態：
図６は、第２の実施形態での放送受信装置を説明する図である。第２の実施形態では、放送受信装置は、記録再生装置４００により実現される。記録再生装置２００は、アンテナ２００が受信したテレビジョン放送を検波するとともに、検波した映像及び音声データを記録及び出力する機能を備えている。また、記録再生装置４００から出力される映像及び音声データは、再生装置５００により受信され、映像及び音声として出力される。記録再生装置としては、記録媒体としてＨＤＤ（Hard Disk Drive）レコーダや、ブルーレイディスク（Blu-rayDisc）レコーダ等である。
【００４３】
記録再生装置４００は、チューナ部８０、データ取得部７０、ＥＰＧ情報作成部４０、制御部３０、チャンネルマップデータ記憶部２０、ラストパワーメモリ２１、電源回路１０を備えており、各部の機能は第１の実施形態同様であるため、説明は省略する。また、記録再生装置４００の制御部３０には、第１の実施形態におけるテレビジョン受信機１００同様、選局制御モジュール３００が記憶されている。そのため、制御部３０は、この選局制御モジュール３００の機能により、アップ・ダウンキー９１の操作により選局される選局対象を制御することができる。更に、記録再生装置４００は、再生装置５００と映像及び音声データの送受信を行なう機能を備えるインタフェース４１０と、映像及び音声データを記録する機能を備えるメモリ４２０、メモリ４２０に対するアクセスの制御を行なう機能を備えるコントローラ４３０とを備えている。
【００４４】
再生装置５００は、映像出力部６０と、音声出力部５０とを備えており、その機能は第１の実施の形態と同様であるため、説明を省略する。更に、再生装置５００は、記録再生装置４００と映像及び音声データの送受信を行なう機能を備えるインタフェース５１０を備えている。そのため、再生装置５００は、記録再生装置４００から送信された映像及び音声データをインタフェース５１０を介して受信し、その後、映像出力部６０及び音声出力部５０を用いて出力する。
【００４５】
第２の実施形態でも、第１の実施形態同様にユーザがリモコン装置９０のアップ・ダウンキー９１を操作すると、記録再生装置４００の制御部３０は選局制御モジュール３００の機能により放送が継続されているチャンネルのみを選局対象とする。このとき、記録再生装置４００内で選局対象とされたチャンネルに対応した映像データは、インタフェース４１０を通じて再生装置５００に出力される。このため、再生装置５００では、放送が継続しているチャンネルだけが表示パネルに表示される。
【００４６】
３．その他の実施形態：
本発明の実施形態には、様々なものが存在する。
例えば、アップ・ダウンキーは、テレビジョン受信機１００又は記録再生装置４００に具設されていてもよい。
また、制御部３０がＥＰＧ情報を取得する期間としては、電源投入時に限定されず、所定期間ごとにＥＰＧ情報を取得する構成としてもよい。ＥＰＧ情報を取得する間隔がＥＰＧ情報の更新に合わせて短くなれば、急な放送開始及び終了時間の変更にも対応できるため、各チャンネルの放送の有無をより正確に判断することが可能となる。
【００４７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４８】
【図１】本発明に係る放送受信装置の模式図である。
【図２】テレビジョン受信機の構成を説明するブロック図である。
【図３】ユーザが電源を投入した際、テレビジョン受信機１００の内部で実行される処理を説明する流れ図である。
【図４】図３のステップ１４０により制御部３０が実行する処理を説明する流れ図である。
【図５】制御部が図４のステップＳ３２０で実行する更新処理を示す流れ図である。
【図６】第２の実施形態での放送受信装置を説明する図である。
【符号の説明】
【００４９】
１０…電源回路、２０…チャンネルマップ記憶部、２１…ラストパワーメモリ、３０…制御部、３１…ＣＰＵ、３２…ＲＯＭ、３３…ＲＡＭ、３４…タイマ、３５…リモコン受信部、４０…ＥＰＧ情報作成部、５０…音声出力部、５１…表示パネル、６０…映像出力部、６１…表示パネル、６２…画像処理部、６３…ドライバ部、７０…データ取得部、７１…デスクランブル部、７２…多重分離部、７３…映像・音声復号部、８０…チューナ部、９０…リモコン装置、９１…アップ・ダウンキー、１００…テレビジョン受信機、１１０…バス、１２０…ＯＳ、２００…アンテナ、３００…選局制御モジュール、４００…記録再生装置、４１０…インタフェース、４２０…メモリ、４３０…コントローラ、５００…再生装置、５１０…インタフェース
【図１】
2009296050.tif 000003
【図２】
2009296050.tif 000004
【図３】
2009296050.tif 000005
【図４】
2009296050.tif 000006
【図５】
2009296050.tif 000007
【図６】
2009296050.tif 000008